(57)【特許請求の範囲】
【請求項１】
センター役物を取り付けるための貫通口を形成した遊技盤と、
同遊技盤の表面側から装着されて同貫通口の周縁に固定されつつ同貫通口内に向けて挿入されるセンター役物と、
このセンター役物と遊技盤とを位置決めする第一の位置決め構造と、
同遊技盤の裏面側から装着されて同遊技盤の裏面に固定される裏仕切板と、
上記センター役物と上記裏仕切板とを位置決めする第二の位置決め構造とを具備することを特徴とする裏仕切板の位置決め構造。
【請求項２】
上記センター役物は、上記遊技盤の表面側から装着される枠状のセンターフレームと、遊技盤の裏面側から上記センターフレームに装着される球経路板と、この球経路板の背面側から固定される表示板とを備えることを特徴とする請求項１に記載の裏仕切板の位置決め構造。
【発明の詳細な説明】
【０００１】
【発明の属する技術分野】
本発明は、遊技機における裏仕切板の位置決め構造に関する。
【０００２】
【従来の技術】
従来、例えば、パチンコ機などの遊技機では、遊技盤の表面から入賞した遊技球を遊技盤の裏側で仕分けする裏仕切板を次のように固定していた。
遊技盤に形成しておいたセンター役物を取り付けるための貫通口に対し、同センター役物を遊技盤の表面側から挿入し、同貫通口の周縁部分に対してネジ止め固定する。次に、裏仕切板を遊技盤の裏面側に設けた位置決め用の凹凸構造で所定位置となるように位置合わせし、ネジ止め固定する。
【０００３】
【発明が解決しようとする課題】
上述した従来の裏仕切板の位置決め構造においては、表面側の位置決めと裏面側の位置決めとを個別に設けていたため、うまく位置合わせできないことがあった。
本発明は、上記課題にかんがみてなされたもので、裏仕切板の位置決めを容易に行うことが可能な裏仕切板の位置決め構造の提供を目的とする。
【０００４】
【課題を解決するための手段】
上記目的を達成するため、請求項１にかかる発明は、センター役物を取り付けるための貫通口を形成した遊技盤と、同遊技盤の表面側から装着されて同貫通口の周縁に固定されつつ同貫通口内に向けて挿入されるセンター役物と、このセンター役物と遊技盤とを位置決めする第一の位置決め構造と、同遊技盤の裏面側から装着されて同遊技盤の裏面に固定される裏仕切板と、上記センター役物と上記裏仕切板とを位置決めする第二の位置決め構造とを具備する構成としてある。
【０００５】
また、請求項２にかかる発明は、上記請求項１に記載の裏仕切板の位置決め構造において、上記センター役物は、上記遊技盤の表面側から装着される枠状のセンターフレームと、遊技盤の裏面側から上記センターフレームに装着される球経路板と、この球経路板の背面側から固定される表示板とを備える構成としてある。
【０００６】
【作用】
上記のように構成した請求項１にかかる発明においては、遊技盤に形成したセンター役物を取り付けるための貫通口内に向けてこの遊技盤の表面側からセンター役物を挿入するが、このときに第一の位置決め構造にてセンター役物と遊技盤とを位置決めし、同センター役物を同貫通口の周縁に固定させる。一方、同遊技盤の裏面側では第二の位置決め構造にて上記センター役物と裏仕切板とを位置決めし、当該裏仕切板を装着せしめて固定する。
【０００７】
ここにおいて、遊技盤としては例えばパチンコ機の遊技盤などが対応するが、これ以外にもアレンジボールなど広く役物のセンターフレームを装着するような盤面であればよい。このセンター役物としては、例えば、液晶表示器を備える可変表示装置を備えるようなものが該当するが、通常の回転ドラムを有する絵合わせ装置などであってもよい。また、必ずしも中心位置にある必要はなく、周辺位置に配置されるようなものであっても構わない。貫通口はセンター役物を貫通せしめるようなものであればよく、このときセンター役物が必ずしも貫通する必要はなく、裏仕切板の一部が裏面から挿入されて同センター役物と接続するようなものでも良い。
【０００８】
センター役物を遊技盤に位置決めする第一の位置決め構造としては、例えば、凹凸嵌合構造などがある。一方に凹部を形成するとともに他方に凸部を形成しておく。このとき、凸部の先端を先細りとしておいたり、凹部の開口部を末広がりとしておけば、挿入しやすくなる。パチンコ機の場合、遊技盤の表面に釘打ち用の下孔を全部一括してポンチで形成するためのゲージ板を使用しており、このゲージ板のポンチにて位置合わせ用の凹部を形成すると周囲の入賞装置などとの全体的な位置合わせが可能となる。
【０００９】
裏仕切板とセンター役物とを位置決めする第二の位置決め構造としては、同様に、凹凸嵌合構造などがある。この場合、枠状のセンター役物の端部と裏仕切板との当接部位に互いに嵌合する凹凸形状を形成しておいても良いし、それぞれに凸部と凹部とを形成しておくなど、適宜変形可能である。
ここにおいて、センター役物は必ずしも遊技盤の表面から一体的に挿入されるものではなく、一部を遊技盤の表面から挿入し、一部を遊技盤の裏面から装着して合体せしめるものでも良い。このとき、裏面から装着されるセンター役物の一部は、遊技盤の裏側の構造体を兼用するものでもよく、例えば、裏仕切板の一部を球経路板として兼用することが可能である。すなわち、表面側でセンターフレームを位置合わせし、これに裏面側から球経路板を位置合わせし、この球経路板に表示板を装着してセンター役物が形成される。さらに、このようにして合体したセンター役物に対して裏仕切板が固定されるので、結果として裏仕切板は表面側の構造物に位置合わせして固定されることになる。
【００１０】
【発明の効果】
以上説明したように本発明は、センター役物を遊技盤に位置決めして固定し、このセンター役物に裏仕切板を位置決めして固定するため、センター役物と裏仕切板とが正しい位置で正確に位置合わせされることになり、表側の構造物と裏側の構造物との位置合わせを容易にすることが可能な裏仕切板の位置決め構造を提供することができる。特に、パチンコ機のように釘打ち用の下孔をゲージ板で開けるような場合には、遊技盤前面側の他の構造物とセンター役物とが位置合わせされ、かつ、このセンター役物を介して遊技盤裏面側の裏仕切板が位置合わせされるので、当該裏仕切板は確実に表側の構造物と位置合わせされ、遊技盤の表側から裏側へと通過する遊技球をスムーズに誘導させることができる。
【００１１】
また、請求項２にかかる発明は、センター役物が表面側だけから装着される一体のものでなく、裏面の構造物をも兼用する場合に、当該センター役物を介して表側と裏側の構造物とを容易に位置合わせすることができる。
【００１２】
【発明の実施の形態】
以下、図面にもとづいて本発明の実施形態を説明する。
図１は、本発明の一実施形態にかかる裏仕切板の位置決め構造を適用したパチンコ機を正面図により示しており、図２は分解斜視図により示している。
【００１３】
同図において、パチンコ機１０は枠状の前面枠１１を備えており、同前面枠１１の裏面側から遊技盤２０が装着されている。遊技盤２０の中程にはセンター役物を装着できるように貫通口２１を形成してあり、同遊技盤２０の表面側から枠状のセンターフレーム４０を装着し、裏面側から球経路板５０を装着できるようになっている。また、同球経路板５０の裏面に対して表示板６０を装着可能となっており、同表示板６０の左右に延設されるブラケット６１，６１には位置合わせとネジ止めのための貫通孔６１ａが形成され、球経路板５０の背面には位置決め突起５０ａとネジ孔５０ｂとを形成してある。これらのセンターフレーム４０と球経路板５０と表示板６０とによってセンター役物を構成する。
【００１４】
センターフレーム４０は、貫通口２１を貫通する角筒部分４１と角筒部分の前端側から側方に延設された飾り枠を形成するフランジ部分４２とからなり、フランジ部分４２の背面側には第一の位置決め機構を構成するピン４３，４３を形成してある。
一方、遊技盤２０における貫通口２１の表面側周縁部分には上記ピン４３，４３に対応する位置に同じく第一の位置決め機構を構成する位置決め孔２２，２２を形成してある。遊技盤２０には遊技球の障害となる多数の釘を打ちつけるが、製造時にはそのための下孔をポンチで一体的に空けている。この下孔は釘のみならず、入賞口の周りや飾りものなどの全ての位置決めとなっており、上記位置決め孔２２，２２も同じポンチで同時に形成している。従って、表面側の構造物は全体的な位置合わせがなされることになる。また、かかる下孔と同様の位置決め孔２２に挿入されるピン４３は概ね釘と同じ径となっている。そして、ピン４３，４３は先端が先細りとなっているとともに、位置決め孔２２，２２の内周面も開口側ほど末広がりとなっているため、挿入開始時には容易にはまりこみ、奥に押し入れられるに従って正規位置へ誘導されるようになっている。
【００１５】
センターフレーム４０における角筒部分４１の後端部分は一段ほど内側に細くなるように段部４４を形成してあり、枠状の球経路板５０に形成した開口部５１に対して内側から入り込みつつ嵌合可能となっている。
球経路板５０はセンター役物の一部であるとともに裏仕切板をも兼ねており、その下部に形成した短円柱状の突起５４に対して左裏仕切板５２と右裏仕切板５３に形成したキャップ状の凹部５５をはめ合わせて嵌合組付可能となっている。すなわち、これらの突起５４と凹部５５とによって第二の位置決め機構を構成している。
【００１６】
これらの球経路板５０と左裏仕切板５２と右裏仕切板５３は、図１にて波線にて示しており、遊技盤２０に広く分布して形成されている入賞孔の背面側に位置し、それぞれの入賞球を遊技盤２０裏側にて所定位置に誘導する役目をなす。一例としては、球経路板５０にて遊技盤２０の上下方向中程の左右に配設された通過口２３，２３からの入賞球を誘導し、左裏仕切板５２と右裏仕切板５３とで遊技盤２０の下方寄りの左右に形成された普通入賞孔２４，２４，２４，２４からの入賞球と、遊技盤２０の下方中程に形成された第一種始動口２５からの入賞球とを誘導するようになっている。このように球経路板と裏仕切板とを複数に分割することにより、個々の部品の大きさが小さくなり、組付作業をやりやすくしている。
【００１７】
次に、上記構成からなる本実施形態の動作を説明する。
まず、遊技盤２０の表面側から、センターフレーム４０における角筒部分４１を同遊技盤２０の貫通口２１内に挿入する。このとき、フランジ部分４２の背面に係止したピン４３，４３を遊技盤２０の位置決め孔２２，２２に挿入して押し込むことにより、当該センターフレーム４０は遊技盤２０に対して正しい値に位置合わせされ、この後でネジ止め固定する。
【００１８】
センターフレーム４０が固定されると、角筒部分４１の先端は遊技盤２０を貫通し、背面側に突出する。次に、球経路板５０を遊技盤２０の背面から装着するが、このときに角筒部分４１の先端の段部４４が球経路板５０の開口部５１の内側に入り込むように位置決めさせる。これにより、センターフレーム４０と球経路板５０とは正規の位置関係になり、さらに、センターフレーム４０自体も遊技盤２０に対して位置決めされているので、完全な位置合わせを容易に行うことができる。この後、球経路板５０を遊技盤２０の背面にネジ止め固定する。
【００１９】
球経路板５０が固定されたら、その下部に対して左裏仕切板５２と右裏仕切板５３とを嵌合組付する。これらの球経路板５０と左裏仕切板５２と右裏仕切板５３は、遊技盤２０を通過する入賞球を誘導するが、所定の入賞口などと位置ずれが生じているとスムーズに流れ込まないし、傾いていれば最悪の場合滞留してしまうこともある。しかるに、少なくとも球経路板５０が表面側の構造物に対して正確に位置決めされているため、他の左裏仕切板５２と右裏仕切板５３もきちんと位置決めされていることになり、このような不具合を未然に防ぐことができる。
【００２０】
この後、表示板６０を球経路板５０の背面側から取り付ける。上述したようにセンターフレーム４０と球経路板５０とが正確に位置決めされているため、表示板６０の枠部とも位置合わせが行なわれる。表示板６０はセンターフレーム４０を介して表面側から見られるため、位置ズレしていると見苦しいが、このようにして正確に位置決めされているので見栄えを良くすることができる。
上述した実施例においては、第一の位置決め構造をピン４３と位置決め孔２２で構成しているが、センターフレーム４０を遊技盤２０に位置決めできるものであればよい。また、第二の位置決め構造を球経路板５０の突起５４と、左裏仕切板５２と右裏仕切板５３の凹部５５とによって構成しているが、結果としてこれらの左裏仕切板５２と右裏仕切板５３とが表面側のセンターフレーム４０に対して位置決めされるようにすることができればよく、適宜、変形可能である。
【００２１】
むろん、センター役物は、必ずしもセンターフレーム４０と球経路板５０と表示板６０とに分離されている必要はなく、図４に示すように、一体のセンター役物７０を遊技盤２０の前面から貫通口２１内に挿入して装着するものであっても良い。この場合、遊技盤２０の裏面側では上述した球経路板５０と左裏仕切板５２と右裏仕切板５３とを合体せしめて一体的な裏仕切板８０を構成し、当該裏仕切板８０の開口部８１にセンター役物７０の後端部を挿入し、その周面の段部７１を突き当てて位置合わせするようにしてもよい。むろん、この場合には上記段部７１と開口部８１にて第二の位置決め構造を構成する。
【００２２】
このように、遊技盤２０に対してピン４３と位置決め孔２２とによってセンターフレーム４０を位置決めするとともに、貫通口２１を通過する同センターフレーム４０の角筒部分４１の先端の段部４４と球経路板５０の開口部５１を位置決めし、さらにこの球経路板５０に対して左裏仕切板５２と右裏仕切板５３とを突起５４と凹部５５とによって位置決めしているので、左裏仕切板５２と右裏仕切板５３はセンター役物の一部であるセンターフレーム４０を介して遊技盤２０に対して正確な位置に容易に位置合わせされる。
【図面の簡単な説明】
【図１】本発明の一実施形態にかかる裏仕切板の位置決め構造を適用したパチンコ機の正面図である。
【図２】同パチンコ機における要部の分解斜視図である。
【図３】同パチンコ機における要部の断面図である。
【図４】センター役物と裏仕切板の変形例を示す分解斜視図である。
【符号の説明】
１０…パチンコ機
２０…遊技盤
２１…貫通口
２２…位置決め孔
４０…センターフレーム
４３…ピン
５０…球経路板
５２…左裏仕切板
５３…右裏仕切板
５４…突起
５５…凹部
６０…表示板
【図１】
0003937101.tif 000002
【図２】
0003937101.tif 000003
【図３】
0003937101.tif 000004
【図４】
0003937101.tif 000005